(57)【要約】【課題】リングバックトーン（ＲＢＴ）として、従来は「トゥルルル・トゥルルル」という固定音を送出していた。しかし、携帯電話の着信音メロディの普及に見られるように、電話のＲＢＴを利用者の好みのメロディに変えるニーズは高い。しかし、従来の電話網においては、ＲＢＴの音は非可変であるという固定観念があり、ＲＢＴを変更するサービスはこれまでなかった。【解決手段】電話網２１０上のＲＢＴ音源送出システム２２０に、利用者が選択したＲＢＴ音源コンテンツを登録するＲＢＴ音源記憶装置２２５と、ＲＢＴを登録した電話利用者１００の端末から電話の発信が行われた場合に、相手呼出中の間に、登録されたＲＢＴ音源コンテンツをＲＢＴとして利用者１００の電話端末に送信するためのＲＢＴ音源送出システム制御装置２２１とＲＢＴ音源送出装置２２２を設ける。【選択図】　図２
2004088452.tif 000002
【特許請求の範囲】
【請求項１】
通信事業者が提供する電話網上に設備され、利用者の電話端末のリングバックトーンを変更するリングバックトーン音源変更システムであって、
リングバックトーン音源コンテンツを利用者ごとに登録するためのリングバックトーン音源記憶手段と、
前記リングバックトーンを登録した利用者の電話端末から電話発信が行われた場合に、相手呼出中の間に、前記登録されたリングバックトーン音源コンテンツをリングバックトーンとして利用者の電話端末に送信するためのリングバックトーン音源送出手段と
を具備することを特徴とするリングバックトーン音源変更システム。
【請求項２】
リングバックトーン音源コンテンツを外部からアップロードしようとする相手方機器の正当性を認証するための認証手段と、
前記認証手段により相手方機器の正当性が認証された場合に、アップロードされるリングバックトーン音源コンテンツを前記音源記憶手段中の指定された利用者の領域に登録するためにリングバックトーン音源書換手段と
をさらに具備することを特徴とする請求項１に記載のリングバックトーン音源変更システム。
【請求項３】
前記リングバックトーン音源コンテンツをアップロードする相手方機器がコンテンツ事業者のシステムであり、
前記コンテンツ事業者がアップロードしようとするリングバックトーン音源コンテンツが電話利用者により予め選択されたコンテンツである
ことを特徴とする請求項２に記載のリングバックトーン音源変更システム。
【請求項４】
前記リングバックトーン音源コンテンツをアップロードする相手方機器が広告代理事業者のシステムであり、
前記広告代理事業者のシステムがアップロードしようとするリングバックトーン音源コンテンツが広告依頼主により指定されたコンテンツである
ことを特徴とする請求項２に記載のリングバックトーン音源変更システム。
【請求項５】
リングバックトーンを変更することができる電話端末であって、
リングバックトーン音源コンテンツを登録するためのリングバックトーン音源記憶手段と、
電話を発信する際に、相手呼出中の間に、前記登録されたリングバックトーン音源コンテンツをリングバックトーンとして受話部に送出するためのリングバックトーン音源送出手段と
を具備することを特徴とする電話端末。
【請求項６】
リングバックトーン音源コンテンツを外部からアップロードしようとする相手方機器の正当性を認証するための認証手段と、
前記認証手段により相手方機器の正当性が認証された場合に、アップロードされるリングバックトーン音源コンテンツを前記音源記憶手段に登録するためのリングバックトーン音源読込手段と
を具備することを特徴とする請求項５に記載の電話端末。
【請求項７】
通信事業者が提供する電話網上に設備され、利用者の電話端末のリングバックトーンを変更するリングバックトーン音源変更システムにおけるリングバックトーン音源変更方法であって、
リングバックトーン音源コンテンツを利用者ごとに登録するためのリングバックトーン音源記憶手順と、
前記リングバックトーンを登録した利用者の電話端末から電話発信が行われた場合に、相手呼出中の間に、前記登録されたリングバックトーン音源コンテンツをリングバックトーンとして利用者の電話端末に送信するためのリングバックトーン音源送出手順と
を含むことを特徴とするリングバックトーン音源変更方法。
【請求項８】
通信事業者が提供する電話網上に設備され、利用者の電話端末のリングバックトーンを変更するリングバックトーン音源変更システム内のコンピュータに、
リングバックトーン音源コンテンツを利用者ごとに登録するためのリングバックトーン音源記憶手順と、
前記リングバックトーンを登録した利用者の電話端末から電話発信が行われた場合に、相手呼出中の間に、前記登録されたリングバックトーン音源コンテンツをリングバックトーンとして利用者の電話端末に送信するためのリングバックトーン音源送出手順と
を実行させるためのプログラム。
【発明の詳細な説明】
【０００１】
【発明の属する技術分野】
本発明は、固定電話網、携帯電話網、ＩＰ電話網（インターネット電話網を含む）等の電話利用者が聴取するリングバックトーンを任意に変更し利用することができるリングバックトーン音源変更システム、電話端末及びリングバックトーン音源変更方法に関する。
【０００２】
【従来の技術】
最初に、リングバックトーンについて説明する。図２１はリングバックトーンについて説明するための図であり、リングバックトーン（単に、「ＲＢＴ」ともいう）とは、電話利用者（電話発信者）が、相手呼出中に発信者側電話端末の受話装置から聞く相手呼出音のことである。従来は、図２１中の電話網７１０上の着側交換機７１１の固定ＲＢＴ音源装置７１２が「トゥルルルル・・・トゥルルルル・・・」という固定音を送出していた。
【０００３】
【発明が解決しようとする課題】
ところで、携帯電話における着信音メロディの普及に見られるように、電話のＲＢＴを利用者の好みのメロディに変えるなど、ＲＢＴのカスタマイズに対する潜在的なニーズは高い。しかしながら、従来の固定電話、携帯電話、ＩＰ電話等の電話網においては、ＲＢＴの音は非可変であるという理解をされており、ＲＢＴを任意に変更できるサービスはこれまで存在しなかった。
【０００４】
本発明はこのような問題を解決するためになされたもので、その目的は、ＲＢＴを任意に変更し利用できるサービスを提供することができるリングバックトーン音源変更システム、電話端末及びリングバックトーン音源変更方法を提供することを目的とする。
【０００５】
【課題を解決するための手段】
本発明は上記課題を解決するためになされたものであり、本発明のリングバックトーン音源変更システムは、通信事業者が提供する電話網上に設備され、利用者の電話端末のリングバックトーンを変更するリングバックトーン音源変更システムであって、リングバックトーン音源コンテンツを利用者ごとに登録するためのリングバックトーン音源記憶手段と、前記リングバックトーンを登録した利用者の電話端末から電話発信が行われた場合に、相手呼出中の間に、前記登録されたリングバックトーン音源コンテンツをリングバックトーンとして利用者の電話端末に送信するためのリングバックトーン音源送出手段とを具備することを特徴とする。
これにより、電話利用者は、電話利用者自身が電話を発信する際に聴取するＲＢＴ音源を任意に変更できる。
【０００６】
また、本発明のリングバックトーン音源変更システムは、リングバックトーン音源コンテンツを外部からアップロードしようとする相手方機器の正当性を認証するための認証手段と、前記認証手段により相手方機器の正当性が認証された場合に、アップロードされるリングバックトーン音源コンテンツを前記音源記憶手段中の指定された利用者の領域に登録するためにリングバックトーン音源書換手段とをさらに具備することを特徴とする。
これにより、電話利用者は、電話利用者自身が電話を発信する際に聴取する好みのＲＢＴ音源コンテンツをアップロードすることができる。
【０００７】
また、本発明のリングバックトーン音源変更システムは、前記リングバックトーン音源コンテンツをアップロードする相手方機器がコンテンツ事業者のシステムであり、前記コンテンツ事業者がアップロードしようとするリングバックトーン音源コンテンツが電話利用者により予め選択されたコンテンツであることを特徴とする。
これにより、コンテンツ事業者は、電話利用者に代わりＲＢＴ音源コンテンツをアップロードし、電話利用者に利便性を提供する。
【０００８】
また、本発明のリングバックトーン音源変更システムは、前記リングバックトーン音源コンテンツをアップロードする相手方機器が広告代理事業者のシステムであり、前記広告代理事業者のシステムがアップロードしようとするリングバックトーン音源コンテンツが広告依頼主により指定されたコンテンツであることを特徴とする。
これにより、広告代理事業者は、従来より広告効果の高い広告付き無料電話サービスを提供できるようになる。
【０００９】
また、本発明の電話端末は、リングバックトーンを変更することができる電話端末であって、リングバックトーン音源コンテンツを登録するためのリングバックトーン音源記憶手段と、電話を発信する際に、相手呼出中の間に、前記登録されたリングバックトーン音源コンテンツをリングバックトーンとして受話部に送出するためのリングバックトーン音源送出手段とを具備することを特徴とする。
これにより、電話利用者は、電話利用者自身が電話を発信する際に聴取するＲＢＴ音源を任意に変更できる。
【００１０】
また、本発明の電話端末は、リングバックトーン音源コンテンツを外部からアップロードしようとする相手方機器の正当性を認証するための認証手段と、前記認証手段により相手方機器の正当性が認証された場合に、アップロードされるリングバックトーン音源コンテンツを前記音源記憶手段に登録するためのリングバックトーン音源読込手段とを具備することを特徴とする。
これにより、電話利用者は、電話利用者自身が電話を発信する際に聴取する好みのＲＢＴ音源コンテンツを外部システムからアップロードさせることができる。
【００１１】
また、本発明のリングバックトーン音源変更方法は、通信事業者が提供する電話網上に設備され、利用者の電話端末のリングバックトーンを変更するリングバックトーン音源変更システムにおけるリングバックトーン音源変更方法であって、リングバックトーン音源コンテンツを利用者ごとに登録するためのリングバックトーン音源記憶手順と、前記リングバックトーンを登録した利用者の電話端末から電話発信が行われた場合に、相手呼出中の間に、前記登録されたリングバックトーン音源コンテンツをリングバックトーンとして利用者の電話端末に送信するためのリングバックトーン音源送出手順とを含むことを特徴とする。
これにより、電話利用者は、電話利用者自身が電話を発信する際に聴取するＲＢＴ音源を任意に変更できる。
【００１２】
また、本発明のコンピュータプログラムは、通信事業者が提供する電話網上に設備され、利用者の電話端末のリングバックトーンを変更するリングバックトーン音源変更システム内のコンピュータに、リングバックトーン音源コンテンツを利用者ごとに登録するためのリングバックトーン音源記憶手順と、前記リングバックトーンを登録した利用者の電話端末から電話発信が行われた場合に、相手呼出中の間に、前記登録されたリングバックトーン音源コンテンツをリングバックトーンとして利用者の電話端末に送信するためのリングバックトーン音源送出手順とを実行させるためのプログラムである。
【００１３】
【発明の実施の形態】
次に本発明の実施の形態例について図面を参照して説明する。
［システム構成モデルの概要］
本発明のリングバックトーン音源変更システムの実施の形態例として、図１に示す、システム構成モデルについて説明する。
【００１４】
１．本発明の実現方法
本発明のＲＢＴ音源変更機能を通信網（電話網等）上の何処で実現するかについて、網装置側で実現する方法（「実現方法Ａ」）と、端末装置側で実現する方法（「実現方法Ｂ」）の２方式がある。各実現方法（ＡおよびＢ）の概要を以下に示す。
【００１５】
（１）「実現方法Ａ（網側装置で実現する方法）」
通信網（電話網等）上に、▲１▼コンテンツ（音楽や広告メッセージ等の任意のＲＢＴ音源）を記憶する装置（ＲＢＴ音源記憶装置）、▲２▼通信網を介してコンテンツ（任意のＲＢＴ音源）をＲＢＴ音源記憶装置にアップロードする装置（ＲＢＴ音源書換装置）、▲３▼ＲＢＴ音源記憶装置に記憶された任意のＲＢＴ音源をＲＢＴとして送出する装置（ＲＢＴ音源送出装置）を用意する方法である。なお、具体的な例については後述する。
【００１６】
（２）「実現方法Ｂ（端末側装置で実現する方法）」
通信網上に設置された電話端末内に、▲１▼コンテンツ（音楽や広告メッセージ等の任意のＲＢＴ音源）を記憶する装置（ＲＢＴ音源記憶部）、▲２▼通信網や記憶媒体を介したＲＢＴ音源のＲＢＴ音源記憶部への読込を制御する装置（読込制御部）、▲３▼ＲＢＴ音源記憶装置に記憶された任意のＲＢＴ音源をＲＢＴとして送出する装置（ＲＢＴ音源送出装置）、▲４▼通信網が送出する固定のＲＢＴ音源が送出される間、電話端末内の音源記憶部と受話部を接続し、通話が開始されたら網と受話部を接続する装置（接続制御部）を用意する方法である。なお、具体的な例については後述する。
【００１７】
２．本発明で実現可能となるシステム構成モデル
本発明によるリングバックトーン音源変更システムでは、通信事業者のみならず、種々の事業者がシステムに参画できる。
すなわち、通信事業者は、本発明を利用してＲＢＴ音源変更サービス（システム構成モデル甲）を提供できる。また、同サービス（システム構成モデル甲）を利用して、コンテンツ事業者は新たにＲＢＴ音源配信サービス（システム構成モデル乙）を提供でき、広告代理事業者は新たにＲＢＴ広告サービス事業（システム構成モデル丙）を展開できる。
【００１８】
以下、上記３つのシステム構成モデル（甲、乙、丙）について説明する。
（１）システム構成モデル甲（ＲＢＴ音源変更サービス事業（通信事業者主体））
・通信事業者が、電話利用者に対して提供するサービスである。
・電話利用者が電話を発信する際に聴取するＲＢＴ音源を当該電話利用者自身（又は当該電話利用者の許可を得た事業者）が、任意に変更できる。
・電話利用者自身（又は当該電話利用者の許可を得た事業者）は、通信事業者にサービス利用料を支払う。
【００１９】
（２）システム構成モデル乙（ＲＢＴ音源配信サービス事業（コンテンツ事業者が主体）
・コンテンツ事業者が、電話利用者に提供するサービスである。
・電話利用者はコンテンツ事業者が提供するＲＢＴ音源の中から任意のコンテンツを選択し、当該電話利用者が電話を発信する際にＲＢＴとして利用することができる。
・電話利用者は、コンテンツ事業者にコンテンツの利用料を支払う。
・コンテンツ事業者がコンテンツ利用料の課金および回収に通信事業者が提供するコンテンツ料課金・回収代行サービスを利用する場合、コンテンツ事業者は通信事業者にコンテンツ料課金・回収代行料を支払う。
【００２０】
（３）システム構成モデル丙（ＲＢＴ広告サービス事業（広告代理事業者が主体））
・広告代理事業者が、電話利用者及び広告依頼主に対して提供するサービスである。
・広告代理事業者が電話利用者の許可を得て、当該電話利用者が電話を発信する際のＲＢＴとして、広告代理事業者の任意の広告メッセージを当該利用者に聴取させることができる。
・広告依頼主は、広告代理事業者に広告料を支払う。広告代理事業者は、当該電話利用者に広告料の一部を還元する。
・広告代理事業者が広告料の一部を電話利用者に還元する際に、通信事業者が提供する利益還元代行サービスを利用する場合、通信事業者に利益還元代行料を支払う。
【００２１】
以上説明した本発明の実現方法（Ａ、Ｂ）とシステム構成モデル（甲、乙、丙）の組み合わせにより、以下に示す６種類の基本的なシステム構成モデルが実現できる。
（１）システム構成モデル甲Ａ
（２）システム構成モデル乙Ａ
（３）システム構成モデル丙Ａ
（４）システム構成モデル甲Ｂ
（５）システム構成モデル乙Ｂ
（６）システム構成モデル丙Ｂ
また、（１）システム構成モデル甲Ａ、（２）システム構成モデル乙Ａ、（３）システム構成モデル丙Ａについては、ＲＢＴ音源送出システムを持たない通信事業者が、他の通信事業者のＲＢＴ音源送シシテムを利用するモデルへの展開が可能となり、さらに、以下に示す、４種類のシステム構成モデルが実現できる。
（７）システム構成モデル甲Ａ２（ＮＮＩ接続の場合）
（８）システム構成モデル甲Ａ２（ＵＮＩ接続の場合）
（９）システム構成モデル乙Ａ２
（１０）システム構成モデル丙Ａ２
【００２２】
以下、上記各システム構成モデルの具体的な例について順次詳細に説明する。なお、各システム構成モデルの説明は固定電話網の例により行うが、本発明は携帯電話網、ＩＰ電話網等の他の電話網にも適用できる。
【００２３】
［システム構成モデル甲Ａ］
図２に、「システム構成モデル甲Ａ」のシステム構成例を示す。図２において、１００は電話利用者（発側ユーザ）、２００は通信事業者、３００は着側ユーザを示している。また、通信事業者２００は、電話網２１０とＲＢＴ音源送出システム２２０を設備し管理する。
電話網２１０には、発側交換機２１１と着側交換機２１２が設けられ、着側交換機２１２には、従来の固定ＲＢＴ音源装置２１３が設備されている。
ＲＢＴ音源送出システム２２０は、本発明により新たに通信網２１０上に設備される部分であり、ＲＢＴ音源送出システム２２０には、以下の装置が設備される。
・ＲＢＴ音源送出システム制御装置２２１は、ＲＢＴ音源送出システム２２０の全体を統括制御するための装置である。
・ＲＢＴ音源送出装置２２２は、ＲＢＴ音源記憶装置２２５に記憶されたＲＢＴ音源コンテンツを取り出し、発側交換機２１１を介して、電話利用者１００の電話端末に送出するための装置である。
・認証装置２２３は、電話利用者１００の正当性を認証するための装置である。なお、ＲＢＴ音源送出システム２２０のインタフェース（ＲＢＴ音源書換）は開放されており、アクセスするためには本人認証が必要となる。
・ＲＢＴ音源書換装置２２４は、電話利用者１００等が任意のＲＢＴ音源コンテンツをＲＢＴ音源記憶装置２２５にアップロードするための装置である。
・ＲＢＴ音源記憶装置２２５は、電話利用者１００等がアップロードするＲＢＴ音源コンテンツを記憶するための装置である。
【００２４】
図２に示す「システム構成モデル甲Ａ」では、「サービスの提供を受ける者」は、電話利用者１００であり、電話を発信する際に任意のＲＢＴ音源を聴取したい者であり、「サービスを提供する者」は、通信事業者２００である。そして、電話利用者１００（または当該電話利用者の許可を得た事業者）は、当該電話利用者自身が電話を発信する際に聴取するＲＢＴ音源を任意に変更できる。ＲＢＴ音源を変更する際には、通信事業者２００が通信網上に用意するＲＢＴ音源送出システム２２０を利用する。なお、電話利用者１００（または当該電話利用者の許可を得た事業者）は通信事業者２００にサービス利用料を支払う。
【００２５】
なお、図２に示す「システム構成モデル甲Ａ」をＲＢＴ音源を配信するプラットホームとして利用することで、通信事業者２００以外の者が、後述する「システム構成モデル乙Ａ」や「システム構成モデル丙Ａ」を展開することが可能になるように、同システムは任意のＲＢＴ音源を送出する基本機能のみを提供し、同システムと電話網外の（より高度な機能を提供する）他システムとのインタフェース（音源書換装置）を用意している。
【００２６】
また、図３は、「システム構成モデル甲Ａ」におけるマネーフローを示す図であり、以下のようにして、サービスの提供とサービス利用料の支払いが行われる。
▲１▼通信事業者２００は、ＲＢＴ音源変更サービスを提供する。すなわち、通信事業者２００が電話網２１０上に用意するＲＢＴ音源送出システム２２０の利用権を提供する。
▲２▼電話利用者１００は、ＲＢＴ音源変更サービスの利用料を支払う。
【００２７】
次に、図２に示す「システム構成モデル甲Ａ」における処理の流れについて説明する。
（１）電話利用者１００は、通信網を経由してＲＢＴ音源書換装置２２４のアクセスし、任意のＲＢＴ音源コンテンツをＲＢＴ音源記憶装置２２５にアップロードする（ステップＳ１０１）。
（２）電話利用者１００は、電話を発信する（ステップＳ１０２）。
（３）発側交換機２１１は、ＲＢＴ音源送出システム制御装置２２１にパス接続し、ＲＢＴ音源送出の制御を依頼する（ステップＳ１０３）。
（４）ＲＢＴ音源送出システム制御装置２２１は、発側交換機２１１にＲＢＴ音源送出装置２２２向けのパス（パスＡ）と、着側ユーザ３００向けのパス（パスＢ）の接続を並行処理するように指示する（ステップＳ１０４）。
（５）ＲＢＴ音源送出システム制御装置２２１は、ＲＢＴ音源送出装置２２２に、当該電話利用者１００が聴取するＲＢＴ音源コンテンツをパスＡ経由で送出するように指示する（ステップＳ１０５）。
（６）ＲＢＴ音源送出装置２２２は、ＲＢＴ音源記憶装置２２５からＲＢＴ音源コンテンツをパスＡ経由で送出する（ステップＳ１０６）。
（７）電話利用者１００は、電話端末の受話装置から、ＲＢＴ音源コンテンツを聴取する（ステップＳ１０７）。
（８）発側交換機２１１は。上記（５）〜（７）の処理と並行して、パスＢ経由で着側ユーザ３００を呼出する（ステップＳ１０８）。
（９）着側ユーザ３００は応答する（ステップＳ１０９）。
（１０）発側交換機２１１は、パスＡからパスＢへ接続切替を行う（ステップＳ１１０）。
（１１）通話を開始する（ステップＳ１１１）。
【００２８】
以上説明したように、「システム構成モデル甲Ａ」により、電話利用者１００は、電話利用者自身が電話を発信する際に聴取するＲＢＴ音源を任意に変更できる。また、後述する「システム構成モデル乙Ａ」および「システム構成モデル丙Ａ」への応用が可能である。
【００２９】
［システム構成モデル乙Ａ］
図２に示した「システム構成モデル甲Ａ」では、電話利用者自身がＲＢＴ音源コンテンツを用意しアップロードしなければならかったが、「システム構成モデル乙Ａ」では、ＲＢＴ音源のコンテンツ事業者によるコンテンツの提供および簡便なコンテンツアップロード方法を提供することができる。
【００３０】
図４に、「システム構成モデル乙Ａ」のシステム構成例を示す。図４において、４００はコンテンツ事業者、４１０はＲＢＴ音源選択システム、４１１はコンテンツ送信装置、４１２はコンテンツ選択装置、４１３はコンテンツ蓄積装置を示しており、他の符号のものは図２の場合と同様である。
コンテンツ事業者４００及びコンテンツ事業者４００が設備するＲＢＴ音源選択システム４１０は、図２に示す「システム構成モデル甲Ａ」に新たに追加される部分であり、ＲＢＴ音源選択システム４１０には、以下の装置が設備される。
・コンテンツ送信装置４１１は、電話利用者１００が選択したコンテンツを、通信事業者２００が保有するＲＢＴ音源送出システム２２０内のＲＢＴ音源記憶装置２２５の当該電話利用者１００が利用する記憶領域へ、ＲＢＴ音源書換装置２２４を介して、アップロードするための装置である。
・コンテンツ選択装置４１２は、電話利用者１００が、コンテンツ事業者４００が保有するコンテンツ蓄積装置４１３内のコンテンツのメニューを閲覧し、電話利用者１００自身が電話発信時にＲＢＴ音源として聴取するコンテンツを選択するための装置である。
・ＲＢＴ音源蓄積装置４１３は、ＲＢＴ音源コンテンツ事業者４００が自社が保有するＲＢＴ音源コンテンツを蓄積するための装置である。
【００３１】
また、図４に示す「システム構成モデル乙Ａ」では、「サービスの提供を受ける者」は、電話利用者１００であり、電話を発信する際に任意のＲＢＴ音源を聴取したい者である。「サービスを提供する者」は、ＲＢＴ音源コンテンツ事業者４００である。
【００３２】
そして、電話利用者１００は、コンテンツ事業者４００が提供するＲＢＴ音源コンテンツの中から任意のコンテンツを選択し、電話利用者は電話を発信する際に、ＲＢＴ音源として利用することができる。また、電話利用者１００はコンテンツ事業者４００にコンテンツ利用料を支払う。なお、コンテンツ事業者４００がコンテンツ利用料の課金および回収に通信事業者２００が提供するコンテンツ課金・回収代行サービスを利用する場合、コンテンツ事業者４００は通信事業者２００にコンテンツ課金・回収代行料を支払う。
【００３３】
また、図５は、「システム構成モデル乙Ａ」におけるマネーフローを示す図その１であり、通信事業者２００の課金・回収代行サービスを利用しない場合の例を示している。図５に示す例では、以下のようにして、サービスの提供とサービス利用料の支払いが行われる。
▲１▼コンテンツ事業者４００は、ＲＢＴ音源コンテンツを提供する（対電話利用者）。
▲２▼電話利用者１００は、ＲＢＴ音源コンテンツの利用料を支払う（対コンテンツ事業者）。
【００３４】
また、図６は、「システム構成モデル乙Ａ」におけるマネーフローを示す図その２であり、通信事業者２００の課金・回収代行サービスを利用する場合の例を示している。図６に示す例では、以下のようにして、サービスの提供とサービス利用料の支払いが行われる。
▲１▼コンテンツ事業者４００は、ＲＢＴ音源コンテンツを提供する（対電話利用者）。また、課金・回収代行サービス利用料を支払う（対通信事業者）
▲２▼電話利用者１００は、ＲＢＴ音源コンテンツの利用料を支払う（対コンテンツ事業者）。
▲３▼通信事業者２００は、課金・回収代行サービスを提供する（対コンテンツ事業者）。
【００３５】
次に、図４に示す「システム構成モデル乙Ａ」における処理の流れについて説明する。
（１）ＲＢＴ音源コンテンツ事業者４００は、自社が保有するコンテンツ蓄積装置４１３にＲＢＴ音源コンテンツを用意する（ステップＳ２０１）。
（２）電話利用者１００は、コンテンツ事業者４００が保有するコンテンツのメニューを当該コンテンツ事業者４００が用意するコンテンツ選択装置４１２を介して閲覧し、電話利用者１００自身が電話発信時にＲＢＴ音源として聴取するコンテンツを選択する（ステップＳ２０２）。
（３）コンテンツ送信装置４１１は、電話利用者１００が選択したコンテンツを通信事業者２００が保有するＲＢＴ音源記憶装置２２５の当該電話利用者１００が利用する記憶領域へＲＢＴ音源書換装置２２４を介してアップロードする（ステップＳ２０３）。
以降の処理は、図２に示す「システム構成モデル甲Ａ」の場合と同様である。
【００３６】
以上説明したように、「システム構成モデル乙Ａ」により、コンテンツ事業者４００は、電話利用者１００に対してＲＢＴ音源を変更する簡便な手段を提供できる。
【００３７】
［システム構成モデル丙Ａ］
広告付き無料電話サービス等に見られるように、広告依頼主が電話を通じて特定のユーザ層に配信できる広告に対する広告依頼主のニーズは高い。また、広告を聴取する代わりに電話料金が無料になるサービスに対する電話利用者のニーズも高い。しかしながら、従来の固定電話、携帯電話、ＩＰ電話等の電話網においては、ＲＢＴは非可変であるという理解をされており、ＲＢＴ自体を広告サービスとして利用するサービスは存在していない。「システム構成モデル丙Ａ」では、ＲＢＴ音源を広告媒体として利用できるようにしたものである。
【００３８】
図７に、「システム構成モデル丙Ａ」のシステム構成例を示す。図７において、５００は広告依頼主、６００は広告代理事業者、６１０は広告代理事業者のＲＢＴ広告配信システム、６１１は広告配信システム制御装置、６１２は広告コンテンツ送信装置、６１３は広告コンテンツ蓄積装置を示しており、他の符号のものは図２の場合と同様である。
【００３９】
広告代理事業者６００のＲＢＴ広告配信システム６１０内には、以下の装置が設備される。
・広告配信システム制御装置６１１は、広告依頼主５００の指定に応じて、コンテンツ送信装置６１２に対して、広告コンテンツのアップロードを指示するための装置である。
・コンテンツ送信装置６１２は、広告配信システム制御装置６１１の指示に応じたコンテンツを、通信事業者２００が保有するＲＢＴ音源記憶装置２２５の電話利用者１００が利用する記憶領域へＲＢＴ音源書換装置２２４を介してアップロードするための装置である。
・広告コンテンツ蓄積装置６１３は、広告依頼主５００から配信を依頼されたＲＢＴ広告コンテンツを蓄積するための装置である。
【００４０】
また、図７に示す「システム構成モデル丙Ａ」では、「サービスの提供を受ける者」は、電話利用者１００と広告依頼主５００であり、「サービスを提供する者」は、広告代理事業者６００である。
【００４１】
そして、広告代理事業者６００は、電話利用者１００の許可を得て当該電話利用者が電話を発信する際のＲＢＴとして、広告代理事業者６００の任意の広告メッセージを当該電話利用者に聴取させることができる。広告依頼主５００は、広告代理事業者６００に広告料を支払う。広告代理事業者６００は、電話利用者１００に広告料の一部を還元する。また、広告代理事業者６００が広告料の一部を電話利用者に還元する際に、通信事業者が提供する利益還元代行サービスを利用する場合、広告代理事業者５００は通信事業者２００に利益還元代行料を支払う。
【００４２】
なお、従来からある類似するシステムとその問題点について説明しておく。
（１）類似システム１
・現在類似するシステムとして、発信前に一定時間の広告を聴取させるシステムが存在する。広告代理事業者６００から見た同システムの問題点として、次の２点を指摘できる。
▲１▼発信前に一定時間の広告を聴取させるサービスであり、電話利用者に余分な待ち時間が発生してしまうため、サービスに対する利用者の支持を得にくい。
▲２▼発信前の一定時間は広告が流れるため、電話利用者が受話器に耳を傾けず広告が聴取されない可能性が高い（本発明で実現される「システム構成モデル丙Ａ」では、広告の途中でも通話が開始される可能性があるため、受話器に耳を傾けて広告を聴取しておく必要がある）。
（２）類似システム２
・現在類似するシステムとして、発信時及び通話時に一定時間の広告を画面つき電話端末で閲覧させるシステムが存在する。広告代理事業者６００から見た同システムの問題点として、次の点を指摘できる。
▲１▼電話発信時および通話時に、電話利用者が端末画面を閲覧する必要性は低いため広告が聴取されない可能性が高い（本発明で実現される「システム構成モデル丙Ａ」では聴取される広告であり、広告の途中でも通話が開始される可能性があるため、受話器に耳を傾けて広告を聴取しておく必要がある）。
【００４３】
また、図８は、「システム構成モデル丙Ａ」におけるマネーフローを示す図その１であり、通信事業者２００の利益還元代行サービスを利用しない場合の例を示している。図８に示す例では、以下のようにして、サービスの提供とサービス利用料の支払いが行われる。
▲１▼広告代理事業者６００は、ＲＢＴ広告収入による利益の一部を還元する（対電話利用者）。また、広告サービスを提供する（対広告依頼主）。
▲２▼広告依頼主５００は、広告料を支払う（対広告代理事業者）。
▲３▼電話利用者１００は、ＲＢＴ広告を聴取する（対広告代理事業者）。
【００４４】
また、図９は、「システム構成モデル丙Ａ」におけるマネーフローを示す図その２であり、通信事業者２００の利益還元代行サービスを利用する場合の例を示している。図９に示す例では、以下のようにして、サービスの提供とサービス利用料の支払いが行われる。
▲１▼広告代理事業者６００は、ＲＢＴ広告収入による利益の一部を還元する（対電話利用者）。また、広告サービスを提供する（対広告依頼主）。また、利益還元代行サービスの利用料を支払う（対通信事業者）。
▲２▼広告依頼主５００は、広告料を支払う（対広告代理事業者）。
▲３▼電話利用者１００は、ＲＢＴ広告を聴取する（対広告代理事業者）。
▲４▼通信事業者２００は、利益還元代行サービスを提供する（対広告代理事業者）。
【００４５】
次に、図７に示す「システム構成モデルＡ」における処理の流れについて説明する。
（１）広告依頼主５００は、広告代理事業者６００に対して配信する広告コンテンツの内容、配信対象（地域や年齢等の利用者属性を基に選択）、配信時間を指定する（ステップＳ３０１）
（２）広告代理事業者６００は、ＲＢＴ広告コンテンツを自社が用意する広告コンテンツ蓄積装置６１３に用意する（ステップＳ３０２）。
（３）広告配信システム制御装置６１１は、広告依頼主５００の指定に応じて、コンテンツ送信装置６１２に対して、広告コンテンツのアップロードを指示する（ステップＳ３０３）。
（４）コンテンツ送信装置６１２は、広告配信システム制御装置６１１の指示に応じたコンテンツを通信事業者２００が保有するＲＢＴ音源記憶装置２２５の当該電話利用者１００が利用する記憶領域へＲＢＴ音源書換装置２２４を介してアップロードする（ステップＳ３０４）。
以降の処理は、図２に示す「システム構成モデル甲Ａ」の場合と同様であり、各電話利用者は、それぞれ電話発信時に指定された広告を聴取する。
【００４６】
以上説明したように、「システム構成モデル丙Ａ」により、広告代理事業者６００は、従来より広告効果の高い広告付き無料電話サービスを提供できるようになる。
【００４７】
［システム構成モデル甲Ｂ］
次に、リングバックトーン音源変更を電話端末側で実現する「システム構成モデル甲Ｂ」について説明する。
図１０に、「システム構成モデル甲Ｂ」のシステム構成例を示す。図１０において、１００は電話利用者（発側ユーザ）、１１０は本発明により新たに使用されるＲＢＴ可変式電話端末、１１１は受話部、１１２は接続制御部、１１３は発信部、１１４は送話部、１１５は音源記憶部、１１６は読込制御部、１１７は認証装置、１１８は記憶媒体を示しており、他の符号のものは、図２の場合と同様である。
・音源記憶部１１５は、音楽等の任意のＲＢＴ音源コンテンツを記憶する端末内の装置であり、不揮発性メモリ等が該当する。
・読込制御部１１６は、ＲＢＴ音源を網側にあるＲＢＴ音源配信サーバ装置等からの音源読込（ダウンロード）を制御する装置である。
・接続制御部１１２は、受話部１１１と電話網２１０の接続、受話部１１１と音源記憶部１１５との接続を制御する装置であり、電話網２１０の着側交換機２１２から固定のＲＢＴが送出される間は、受話部１１１と音源記憶部１１５とを接続し、通話が開始されると、受話部１１１を電話網２１０と接続する。
なお、受話部１１１、送話部１１４、発信部１１３は従来の電話端末と同様なものである。
【００４８】
また、図１０に示す「システム構成モデル甲Ｂ」では、「サービスの提供を受ける者」は、電話利用者１００であり、電話を発信する際に任意のＲＢＴ音源を聴取したい者である。また、「サービスを提供する者」は、ＲＢＴ可変式電話端末１１０自身である。
そして、「システム構成モデル甲Ｂ」においては、電話利用者１００（または当該電話利用者の許可を得た事業者）が、当該電話利用者自身が電話を発信する際に聴取するＲＢＴ音源を任意に変更できる。なお、ＲＢＴ音源を変更する際には、電話利用者１００はＲＢＴ可変式電話端末１１０を新たに設置する必要がある。
【００４９】
なお、図１０に示す「システム構成モデル甲Ｂ」は、後述する「システム構成モデル乙Ｂ」や「システム構成モデル丙Ｂ」へ展開することが可能になるように、ＲＢＴ可変式電話端末１１０では、任意のＲＢＴ音源を送出する基本機能のみを提供し、ＲＢＴ可変式電話端末１１０と電話網（又は通信網）外の（より高度な機能を提供する）他システムとのインタフェース（読込制御部１１６）を用意している。
なお、「システム構成モデル甲Ｂ」では、ＲＢＴ音源変更を電話端末側で実現するために、マネーフローは発生しない。
【００５０】
次に、図１０に示す「システム構成モデル甲Ｂ」における処理の流れについて説明する。
（１）電話利用者１００は、ＲＢＴ可変式電話端末１１０内の読込制御部１１６を起動し、各種媒体１１８及び外部のＲＢＴ音源記憶装置１３０を通じて任意のＲＢＴ音源コンテンツを音源記憶部１１５へ読み込む（ステップＳ４０１）。
（２）電話利用者１００は、電話を発信する（ステップＳ４０２）。
（３）着側交換機２１２は、従来の固定ＲＢＴ音を電話利用者１００のＲＢＴ可変式電話端末１１０に送出する（ステップＳ４０３）。
（４）ＲＢＴ可変式電話端末１１０内の接続制御部１１２は、着側交換機２１２が固定ＲＢＴ音を送出する間、音源記憶部１１５と受話部１１１を接続して、音源記憶部１１５に記憶されたＲＢＴ音源コンテンツを受話部１１１に送出する（ステップＳ４０４）。
（５）電話利用者１００は任意のＲＢＴ音源コンテンツを聴取する（ステップＳ４０５）。
（６）着側ユーザ３００の端末が応答する（ステップＳ４０６）。
（７）接続制御部１１２は、着側ユーザの端末が応答し、着側交換機２１２からのＲＢＴ音送出が終わった時点で、音源記憶部１１５と受話部１１１との接続を切断し、網側と受話部１１１の接続に切替える（ステップＳ４０７）。
以後、通話が開始される。
【００５１】
以上説明したように、「システム構成モデル甲Ｂ」により、電話利用者１００は、電話利用者自身が電話を発信する際に聴取するＲＢＴ音源を任意に変更できる。また、後述する「システム構成モデル乙Ｂ」および「システム構成モデル丙Ｂ」への応用が可能である。
【００５２】
［システム構成モデル乙Ｂ］
図１０に示した「システム構成モデル甲Ｂ」では、電話利用者自身がＲＢＴ音源コンテンツを用意しなければならかったが、「システム構成モデル乙Ｂ」では、ＲＢＴ音源のコンテンツ事業者によるコンテンツの提供および簡便なコンテンツアップロード方法を提供することができる。
図１１に、「システム構成モデル乙Ｂ」のシステム構成例を示す。図１１において、４００はコンテンツ事業者、４１０はＲＢＴ音源選択システム、４１１はコンテンツ送信装置、４１２はコンテンツ選択装置、４１３はコンテンツ蓄積装置を示しており、他の符号のものは図１０の場合と同様である。
【００５３】
また、図１１に示す「システム構成モデル乙Ｂ」では、「サービスの提供を受ける者」は、電話利用者１００であり、電話を発信する際に任意のＲＢＴ音源を聴取したい者である。また、「サービスを提供する者」は、ＲＢＴ音源のコンテンツ事業者４００である。
そして、「システム構成モデル乙Ｂ」においては、電話利用者１００はコンテンツ事業者４００が提供するＲＢＴ音源コンテンツの中から任意のコンテンツを選択し、電話利用者１００が電話を発信する際にＲＢＴとして利用することができる。また、電話利用者はコンテンツ事業者４００にコンテンツ利用料を支払う。また、コンテンツ事業者４００がコンテンツ利用料の課金および回収に通信事業者が提供するコンテンツ料課金・回収代行サービスを利用する場合、コンテンツ事業者４００は通信事業者２００にコンテンツ料課金・回収代行料を支払う。
【００５４】
なお、従来からある類似するシステムとその問題点について説明しておく。
・現在類似するシステムとして、携帯電話等の着信音を配信するシステムが存在するが、同システムの問題点として、次の点を指摘できる。
▲１▼着側ユーザが聴取する着信音の変更を対象としており、発側ユーザが聴取するＲＢＴを変更したい利用者にはサービスを提供できない。
【００５５】
また、図１２は、「システム構成モデル乙Ｂ」におけるマネーフローを示す図その１であり、通信事業者２００の課金・回収代行サービスを利用しない場合の例を示している。図１２に示す例では、以下のようにして、サービスの提供とサービス利用料の支払いが行われる。
▲１▼コンテンツ事業者４００は、ＲＢＴ音源コンテンツを提供する（対電話利用者）。
▲２▼電話利用者１００は、ＲＢＴ音源コンテンツの利用料を支払う（対コンテンツ事業者）。
【００５６】
また、図１３は、「システム構成モデル乙Ｂ」におけるマネーフローを示す図その２であり、通信事業者２００の課金・回収代行サービスを利用する場合の例を示している。図１３に示す例では、以下のようにして、サービスの提供とサービス利用料の支払いが行われる。
▲１▼コンテンツ事業者４００は、ＲＢＴ音源コンテンツを提供する（対電話利用者）。また、課金・回収代行サービス利用料を支払う（対通信事業者）。
▲２▼電話利用者１００は、ＲＢＴ音源コンテンツの利用料を支払う（対コンテンツ事業者）。
▲３▼通信事業者２００は、課金・回収代行サービスを提供する（対コンテンツ事業者）。
【００５７】
次に、図１１に示す「システム構成モデル乙Ｂ」における処理の流れについて説明する。
（１）ＲＢＴ音源コンテンツ事業者４００は、自社が保有するコンテンツ蓄積装置４１３にＲＢＴ音源コンテンツを用意する（ステップＳ５０１）。
（２）電話利用者１００は、コンテンツ事業者４００が保有するコンテンツのメニューを当該コンテンツ事業者４００が用意するコンテンツ選択装置４１２を介して閲覧し、電話利用者１００自身が電話発信時にＲＢＴ音源として聴取するコンテンツを選択する（ステップＳ５０２）。
（３）コンテンツ送信装置４１１は、電話利用者１００が選択したコンテンツをＲＢＴ可変式電話端末１１０にアップロードする（ステップＳ５０３）。
（４）ＲＢＴ可変式電話端末１１０では、コンテンツ事業者４００のＲＢＴ音源選択システム４１０から送信されるＲＢＴ音源コンテンツを、読込制御部１１６を介して音源記憶部１１５に記憶する（ステップＳ５０４）。
以降の処理は、前述した「システム構成モデル甲Ｂ」の場合と同様である。
【００５８】
以上説明したように、「システム構成モデル乙Ｂ」により、コンテンツ事業者４００は、電話利用者１００に対してＲＢＴ音源を変更する簡便な手段を提供できる。
【００５９】
［システム構成モデル丙Ｂ］
広告付き無料電話サービス等に見られるように、広告依頼主が電話を通じて特定のユーザ層に配信できる広告に対する広告依頼主のニーズは高い。また、広告を聴取する代わりに電話料金が無料になるサービスに対する電話利用者のニーズも高い。しかしながら、従来の固定電話、携帯電話、ＩＰ電話等の電話網や通信網においては、ＲＢＴは非可変であるという理解をされており、ＲＢＴ自体を広告サービスとして利用するサービスは存在していない。「システム構成モデル丙Ｂ」では、ＲＢＴ音源を広告媒体として利用できるようにしたものである。
【００６０】
図１４に、「システム構成モデル丙Ｂ」のシステム構成例を示す。図１４において、５００は広告依頼主、６００は広告代理事業者、６１０は広告代理事業者のＲＢＴ広告配信システム、６１１は広告配信システム制御装置、６１２は広告コンテンツ送信装置、６１３は広告コンテンツ蓄積装置を示しており、他の符号のものは図１０の場合と同様である。
図１４に示す「システム構成モデル丙Ｂ」では、「サービスの提供を受ける者」は、電話利用者１００と広告依頼主５００であり、「サービスを提供する者」は、広告代理事業者６００である。
そして、広告代理事業者６００は、電話利用者１００の許可を得て当該電話利用者が電話を発信する際のＲＢＴとして、広告代理事業者６００の任意の広告メッセージを当該電話利用者に聴取させることができる。広告依頼主５００は、広告代理事業者６００に広告料を支払う。広告代理事業者６００は、電話利用者１００に広告料の一部を還元する。また、広告代理事業者６００が広告料の一部を電話利用者１００に還元する際に、通信事業者が提供する利益還元代行サービスを利用する場合、広告代理事業者５００は通信事業者２００に利益還元代行料を支払う。
【００６１】
なお、従来からある類似するシステムとその問題点について説明しておく。
（１）類似システム１
・現在類似するシステムとして、発信前に一定時間の広告を聴取させるシステムが存在する。広告代理事業者６００から見た同システムの問題点として、次の２点を指摘できる。
▲１▼発信前に一定時間の広告を聴取させるサービスであり、電話利用者に余分な待ち時間が発生してしまうため、サービスに対する利用者の支持を得にくい。
▲２▼発信前の一定時間は広告が流れるため、電話利用者が受話器に耳を傾けず広告が聴取されない可能性が高い（本発明で実現される「システム構成モデル丙Ｂ」では、広告の途中でも通話開始される可能性があるため、受話器に耳を傾けて広告を聴取しておく必要がある）。
（２）類似システム２
・現在類似するシステムとして、発信時及び通話時に一定時間の広告を画面つき電話端末で閲覧させるシステムが存在する。広告代理事業者６００から見た同システムの問題点として、次の点を指摘できる。
▲１▼電話発信時および通話時に、電話利用者が端末画面を閲覧する必要性は低いため広告が聴取されない可能性が高い（本発明で実現される「システム構成モデル丙Ｂ」では聴取される広告であり、広告の途中でも通話開始される可能性があるため、受話器に耳を傾けて広告を聴取しておく必要がある）。
【００６２】
また、図１５は、「システム構成モデル丙Ｂ」におけるマネーフローを示す図その１であり、通信事業者２００の利益還元代行サービスを利用しない場合の例を示している。図１５に示す例では、以下のようにして、サービスの提供とサービス利用料の支払いが行われる。
▲１▼広告代理事業者６００は、ＲＢＴ広告収入による利益の一部を還元する（対電話利用者）。また、広告サービスを提供する（対広告依頼主）。
▲２▼広告依頼主５００は、広告料を支払う（対広告代理事業者）。
▲３▼電話利用者１００は、ＲＢＴ広告を聴取する（対広告代理事業者）。
【００６３】
また、図１６は、「システム構成モデル丙Ｂ」におけるマネーフローを示す図その２であり、通信事業者２００の利益還元代行サービスを利用する場合の例を示している。図１６に示す例では、以下のようにして、サービスの提供とサービス利用料の支払いが行われる。
▲１▼広告代理事業者６００は、ＲＢＴ広告収入による利益の一部を還元する（対電話利用者）。また、広告サービスを提供する（対広告依頼主）。また、利益還元代行サービスの利用料を支払う（対通信事業者）。
▲２▼広告依頼主５００は、広告料を支払う（対広告代理事業者）。
▲３▼電話利用者１００は、ＲＢＴ広告を聴取する（対広告代理事業者）。
▲４▼通信事業者２００は、利益還元代行サービスを提供する（対広告代理事業者）。
【００６４】
次に、図１４に示す「システム構成モデル丙Ｂ」における処理の流れについて説明する。
（１）広告依頼主５００は、広告代理事業者６００に対して配信する広告コンテンツの内容、配信対象（地域や年齢等の利用者属性を基に選択）、配信時間を指定する（ステップＳ６０１）
（２）広告代理事業者６００は、ＲＢＴ広告コンテンツを自社が用意する広告コンテンツ蓄積装置６１３に用意する（ステップＳ６０２）。
（３）広告配信システム制御装置６１１は、広告依頼主５００の指定に応じて、コンテンツ送信装置６１２に対して、広告コンテンツの送信を指示する（ステップＳ６０３）。
（４）コンテンツ送信装置６１２は、通信網を介して各端末の読込制御部１１６を起動し、広告配信システム制御装置６１１の指示に応じた広告コンテンツを各端末の音源記憶部１１５に送信する（ステップＳ６０４）。
以降の処理は、図１０に示す「システム構成モデル甲Ｂ」の場合と同様であり、各電話利用者は、それぞれ電話発信時に指定された広告を聴取する。
【００６５】
以上説明したように、「システム構成モデル丙Ｂ」により、広告代理事業者６００は、従来より広告効果の高い広告付き無料電話サービスを提供できるようになる。
【００６６】
［システム構成モデル甲Ａ２（ＮＮＩ接続）］
図１７に、「システム構成モデル甲Ａ２（ＮＮＩ接続）」のシステム構成例を示す。「システム構成モデル甲Ａ２（ＮＮＩ接続）」は、図２に示す「システム構成モデル甲Ａ」から派生するシステム構成モデルである。図１７において、２０１はＲＢＴ音源送出システム２２０を有する通信事業者Ｂ、２５１はＶｏＩＰ（Ｖｏｉｃｅ　ｏｖｅｒ　ＩＰ）電話網、２５１及び２５２は交換機またはルータを示している。また、２０２はＲＢＴ音源送出システムを持たない通信事業者Ａ（地域網）、２１０ａは通信事業者Ａ２０２の既存電話網（単に「電話網」ともいう）、２１１ａは通信事業者Ａの発側交換機、２１２ａは通信事業者Ａの着側交換機を示しており、他の符号は図２の場合と同様である。
なお、通信事業者Ａ２０２の発側交換機２１１ａと、通信事業者Ｂの交換機（またはルータ）２５２とは「ＮＮＩ接続」され、「ＮＮＩ接続」とは、通信事業者網のインタフェース同士を相互接続する方式である。また、図中のＰＯＩは、通信事業者間のネットワーク接続点を示している。
【００６７】
図１７に示す「システム構成モデルＡ２（ＮＮＩ接続）」は、図２に示す「システム構成モデル甲Ａ」と比較して、ＲＢＴ音源送出システムを持たない通信事業者Ａ２０２の電話網２１０ａと、ＲＢＴ音源送出システム２２０有する通信事業者Ｂ２０１のＶｏＩＰ網２５１とをＮＮＩ接続し、通信事業者Ａ２０２が通信事業者Ｂ２０１のＲＢＴ音源送出システム２２０を利用して、電話利用者１００にＲＢＴ音源変更サービスを提供できるようにしたものである。
【００６８】
次に、「システム構成モデル甲Ａ２（ＮＮＩ接続）」における処理の流れについて説明する。
（１）電話利用者１００は、通信事業者Ｂ２０１のＲＢＴ音源送出システム２２０内のＲＢＴ音源書換装置２２４により、任意のＲＢＴ音源コンテンツをＲＢＴ音源記憶装置２２５にアップロードする（ステップＳ７０１）。
（２）電話利用者１００は、電話を発信する（ステップＳ７０２）。
通信事業者Ｂ２０１の事業者番号をつけて電話を発信する。
（３）通信事業者Ａ２０２の発側交換機２１１ａは、指定された通信事業者Ｂ２０１にＮＮＩ接続する（ステップＳ７０３）。
（４）ＶｏＩＰ網２５１の交換機（またはルータ）２５２は、ＲＢＴ音源送出システム制御装置２２１に接続指示を依頼する（ステップＳ７０４）。
（５）ＲＢＴ音源送出システム制御装置２２１は、交換機（またはルータ）２５２にパスＡ、パスＢの接続指示を行う（ステップＳ７０５）。
（６）ＲＢＴ音源送出システム制御装置２２１は、ＲＢＴ音源送出装置２２２に、当該電話利用者１００が聴取するＲＢＴ音源コンテンツをパスＡ経由で送出するように指示する（ステップＳ７０６）。
（７）電話利用者１００は、電話端末の受話装置から、ＲＢＴ音源コンテンツを聴取する（ステップＳ７０７）。
（８）一方、ＶｏＩＰ網２５１の交換機（またはルータ）２５３は、パスＢ経由で着側ユーザ３００を呼び出す（ステップＳ７０８）。
（９）パスＢ経由で着側ユーザ３００が応答する（ステップＳ７０９）。
（１０）交換機（またはルータ）２５２は、パスＡからパスＢへ接続切替を行う（ステップＳ７１０）。
（１１）通話を開始する（ステップＳ７１１）。
【００６９】
以上説明したように、「システム構成モデル甲Ａ２（ＮＮＩ接続）」により、ＲＢＴ音源送出システムを持たない通信事業者Ａ２０２も、ＲＢＴ音源変更サービスを電話利用者１００に提供できることになる。
なお、ＶｏＩＰ網２５１は、既存の電話網、インターネット電話網、携帯電話網でもよい。また、既存電話網２１０ａは、ＶｏＩＰ網、インターネット電話網、携帯電話網であってもよい。
【００７０】
【システム構成モデル甲Ａ２（ＵＮＩ接続）】
図１８に、「システム構成モデル甲Ａ２（ＵＮＩ接続）のシステム構成例を示す。
「システム構成モデル甲Ａ２（ＵＮＩ接続）」は、図１７に示す「システム構成モデル甲Ａ２（ＮＮＩ接続）」と同様な構成であり、ＶｏＩＰ網２５１と既存電話網２１０ａとの接続を、「ＮＮＩ接続」から「ＵＮＩ接続」に変更したことだけが異なり、構成と符号も同じであるが、処理に一部異なる部分がある。なお、「ＵＮＩ接続」は、通信事業者網のインタフェースとユーザのインタフェースとを接続する方式である。
【００７１】
次に、「システム構成モデル甲Ａ２（ＵＮＩ接続）」における処理の流れについて説明する。
（１）電話利用者１００は、通信事業者Ｂ２０１のＲＢＴ音源送出システム２２０内のＲＢＴ音源書換装置２２４により、任意のＲＢＴ音源コンテンツをＲＢＴ音源記憶装置２２５にアップロードする（ステップＳ８０１）。
（２）電話利用者１００は、電話を発信する（ステップＳ８０２）。
通信事業者Ｂ２０１の電話番号に続けて呼出する相手番号により発信する。
（３）通信事業者Ａ２０２の発側交換機２１１ａは、指定された電話番号にＵＮＩ接続する（ステップＳ８０３）。
（４）ＶｏＩＰ網２５１の交換機（またはルータ）２５２は、ＲＢＴ音源送出システム制御装置２２１に接続指示を依頼する（ステップＳ８０４）。
（５）ＲＢＴ音源送出システム制御装置２２１は、交換機（またはルータ）２５２にパスＡ、パスＢの接続指示を行う（ステップＳ８０５）。
（６）ＲＢＴ音源送出システム制御装置２２１は、ＲＢＴ音源送出装置２２２に、当該電話利用者１００が聴取するＲＢＴ音源コンテンツをパスＡ経由で送出するように指示する（ステップＳ８０６）。
（７）電話利用者１００は、電話端末の受話装置から、ＲＢＴ音源コンテンツを聴取する（ステップＳ８０７）。
（８）一方、ＶｏＩＰ網２５１の交換機（またはルータ）２５３は、パスＢ経由で着側ユーザ３００を呼び出す（ステップＳ８０８ａ、Ｓ８０８ｂ）。
（９）パスＢ経由で着側ユーザ３００が応答する（ステップＳ８０９）。
（１０）交換機（またはルータ）２５２は、パスＡからパスＢへ接続切替を行う（ステップＳ８１０）。
（１１）通話を開始する（ステップＳ８１１）。
【００７２】
以上説明したように、「システム構成モデル甲Ａ２（ＵＮＩ接続）」により、ＲＢＴ音源送出システムを持たない通信事業者Ａ２０２も、ＲＢＴ音源変更サービスを電話利用者１００に提供できることになる。
なお、ＶｏＩＰ網２５１は、既存の電話網、インターネット電話網、携帯電話網でもよい。また、既存電話網２１０ａは、ＶｏＩＰ網、インターネット電話網、携帯電話網であってもよい。
【００７３】
［システム構成モデル乙Ａ２］
図１７に示した「システム構成モデル甲Ａ２（ＮＮＩ接続）」及び図１８に示す「システム構成モデル甲Ａ２（ＵＮＩ接続）」では、電話利用者自身がＲＢＴ音源コンテンツを用意しアップロードしなければならかったが、「システム構成モデル乙Ａ２」では、図４に示す「システム構成モデル乙Ａ」と同様に、ＲＢＴ音源のコンテンツ事業者によりコンテンツの提供ができるようにしたものである。
【００７４】
図１９に、「システム構成モデル乙Ａ２」のシステム構成例を示す。図１９において、４００はコンテンツ事業者、４１０はＲＢＴ音源選択システム、４１１はコンテンツ送信装置、４１２はコンテンツ選択装置、４１３はコンテンツ蓄積装置を示しており、他の符号のものは図１７の場合と同様である。
コンテンツ事業者４００及びコンテンツ事業者４００が設備するＲＢＴ音源選択システム４１０は、図１７に示す「システム構成モデル甲Ａ２（ＮＮＩ接続）」、または図１８に示す「システム構成モデル甲Ａ２（ＵＮＩ接続）」に新たに追加される部分であり、ＲＢＴ音源選択システム４１０には、以下の装置が設備される。
・コンテンツ送信装置４１１は、電話利用者１００が選択したコンテンツを、通信事業者Ｂ２０１が保有するＲＢＴ音源送出システム２２０内のＲＢＴ音源記憶装置２２５の当該電話利用者１００が利用する記憶領域へ、ＲＢＴ音源書換装置２２４を介して、アップロードするための装置である。
・コンテンツ選択装置４１２は、電話利用者１００が、コンテンツ事業者４００が保有するコンテンツ蓄積装置４１３内のコンテンツのメニューを閲覧し、電話利用者１００自身が電話発信時にＲＢＴ音源として聴取するコンテンツを選択するための装置である。
・ＲＢＴ音源蓄積装置４１３は、ＲＢＴ音源コンテンツ事業者４００が自社が保有するＲＢＴ音源コンテンツを蓄積するための装置である。
【００７５】
次に、図１９に示す「システム構成モデル乙Ａ２」における処理の流れについて説明する。
（１）ＲＢＴ音源コンテンツ事業者４００は、自社が保有するコンテンツ蓄積装置４１３にＲＢＴ音源コンテンツを用意する（ステップＳ９０１）。
（２）電話利用者１００は、コンテンツ事業者４００が保有するコンテンツのメニューを当該コンテンツ事業者４００が用意するコンテンツ選択装置４１２を介して閲覧し、電話利用者１００自身が電話発信時にＲＢＴ音源として聴取するコンテンツを選択する（ステップＳ９０２）。
（３）コンテンツ送信装置４１１は、電話利用者１００が選択したコンテンツを通信事業者Ｂ２０１が保有するＲＢＴ音源記憶装置２２５の当該電話利用者１００が利用する記憶領域へＲＢＴ音源書換装置２２４を介してアップロードする（ステップＳ９０３）。
以降の処理は、図１７に示す「システム構成モデル甲Ａ２（ＮＮＩ接続）」の場合と同様である。
【００７６】
以上説明したように、「システム構成モデル乙Ａ２」により、ＲＢＴ音源送出システムを持たない通信事業者Ａ２０２がＲＢＴ音源変更サービスを電話利用者１００に提供できると共に、電話利用者１００は、コンテンツ事業者４００のＲＢＴ音源選択システム４１０により、好みのコンテンツを選択して、アップロードさせることができる。
なお、ＶｏＩＰ網２５１は、既存の電話網、インターネット電話網、携帯電話網でもよい。また、既存電話網２１０ａは、ＶｏＩＰ網、インターネット電話網、携帯電話網であってもよい。
【００７７】
［システム構成モデル丙Ａ２］
「システム構成モデル丙Ａ２」は、図１７に示す「システム構成モデル甲Ａ２（ＮＮＩ接続）」または図１８に示す「システム構成モデル甲Ａ２（ＵＮＩ接続）」において、ＲＢＴ音源を広告媒体として利用できるようにしたものである。
【００７８】
図２０に、「システム構成モデル丙Ａ２」のシステム構成例を示す。図２０において、５００は広告依頼主、６００は広告代理事業者、６１０は広告代理事業者のＲＢＴ広告配信システム、６１１は広告配信システム制御装置、６１２は広告コンテンツ送信装置、６１３は広告コンテンツ蓄積装置を示しており、他の符号のものは図１７に示す「システム構成モデル甲Ａ２（ＮＮＩ接続）」の場合と同様である。
【００７９】
広告代理事業者６００のＲＢＴ広告配信システム６１０内には、以下の装置が設備される。
・広告配信システム制御装置６１１は、広告依頼主５００の指定に応じて、コンテンツ送信装置６１２に対して、広告コンテンツのアップロードを指示するための装置である。
・コンテンツ送信装置６１２は、広告配信システム制御装置６１１の指示に応じたコンテンツを、通信事業者Ｂ２０１が保有するＲＢＴ音源記憶装置２２５の電話利用者１００が利用する記憶領域へＲＢＴ音源書換装置２２４を介してアップロードするための装置である。
・広告コンテンツ蓄積装置６１３は、広告依頼主５００から配信を依頼されたＲＢＴ広告コンテンツを蓄積するための装置である。
【００８０】
次に、図２０に示す「システム構成モデル丙Ａ２」における処理の流れについて説明する。
（１）広告依頼主５００は、広告代理事業者６００に対して配信する広告コンテンツの内容、配信対象（地域や年齢等の利用者属性を基に選択）、配信時間を指定する（ステップＳ１００１）
（２）広告代理事業者６００は、ＲＢＴ広告コンテンツを自社が用意する広告コンテンツ蓄積装置６１３に用意する（ステップ１００２）。
（３）広告配信システム制御装置６１１は、広告依頼主５００の指定に応じて、コンテンツ送信装置６１２に対して、広告コンテンツのアップロードを指示する（ステップＳ１００３）。
（４）コンテンツ送信装置６１２は、広告配信システム制御装置６１１の指示に応じたコンテンツを、通信事業者Ｂ２０１が保有するＲＢＴ音源記憶装置２２５の当該電話利用者１００が利用する記憶領域へ、ＲＢＴ音源書換装置２２４を介してアップロードする（ステップＳ１００４）。
以降の処理は、図１７に示す「システム構成モデル甲Ａ２（ＮＮＩ接続）」の場合と同様であり、各電話利用者は、それぞれ電話発信時に指定された広告を聴取する。
【００８１】
以上説明したように、「システム構成モデル丙Ａ２」により、ＲＢＴ音源送出システムを持たない通信事業者Ａ２０２がＲＢＴ音源変更サービスを電話利用者１００に提供できると共に、広告代理事業者６００は、広告効果の高い広告付き無料電話サービスを提供できるようになる。
なお、ＶｏＩＰ網２５１は、既存の電話網、インターネット電話網、携帯電話網でもよい。また、既存電話網２１０ａは、ＶｏＩＰ網、インターネット電話網、携帯電話網であってもよい。
【００８２】
以上、本発明の実施の形態ついて説明したが、図２に示すＲＢＴ音源送出システム２２０内の各処理装置、図１０に示すＲＢＴ可変式電話端末１１０内の各処理部は専用のハードウエアにより実現されるものであってもよく、またこの処理装置及び処理部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。
【００８３】
また、図２に示すＲＢＴ音源送出システム２２０内の各処理装置、図１０に示すＲＢＴ可変式電話端末１１０内の各処理部の機能を実現するためのプログラムをコンピュータ読み取り可能な記録媒体に記録して、この記録媒体に記録されたプログラムをコンピュータシステムに読み込ませ、実行することにより、図２に示すＲＢＴ音源送出システム２２０内の各処理装置、図１０に示すＲＢＴ可変式電話端末１１０内の各処理部に必要な処理を行ってもよい。なお、ここでいう「コンピュータシステム」とは、ＯＳや周辺機器等のハードウェアを含むものとする。
【００８４】
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００８５】
以上、本発明の実施の形態について説明したが、本発明のリングバックトーン音源変更システム及び電話端末は、上述の図示例にのみ限定されるものではなく、本発明の要旨を逸脱しない範囲内において種々変更を加え得ることは勿論である。
【００８６】
【発明の効果】
以上説明したように、本発明のリングバックトーン音源変更システム及びリングバックトーン音源変更方法においては、利用者により選択されたリングバックトーン音源コンテンツを利用者ごとに登録し、相手呼出中の間に、登録されたリングバックトーン音源コンテンツをリングバックトーンとして利用者の電話端末に送信する。
これにより、電話利用者は、電話利用者自身が電話を発信する際に聴取するＲＢＴ音源を任意に変更できる。
【００８７】
また、本発明のリングバックトーン音源変更システムにおいては、リングバックトーン音源コンテンツを外部システムからアップロードできるようにする。
これにより、電話利用者は、電話利用者自身が電話を発信する際に聴取する好みのＲＢＴ音源コンテンツをアップロードすることができる。
【００８８】
また、本発明のリングバックトーン音源変更システムにおいては、コンテンツ事業者のシステムからＲＢＴ音源コンテンツをアップロードできるようにする。
これにより、コンテンツ事業者は、電話利用者に代わりＲＢＴ音源コンテンツをアップロードし、電話利用者に利便性を提供する。
【００８９】
また、本発明のリングバックトーン音源変更システムにおいては、広告代理事業者のシステムから、広告コンテンツをリングバックトーン音源コンテンツとしてアップロードできるようにする。
これにより、広告代理事業者は、従来より広告効果の高い広告付き無料電話サービスを提供できるようになる。
【００９０】
また、本発明の電話端末においては、リングバックトーン音源コンテンツを電話端末内に登録し、相手呼出中の間に、登録されたリングバックトーン音源コンテンツを受話部に送出する。
これにより、電話利用者は、電話利用者自身が電話を発信する際に聴取するＲＢＴ音源を任意に変更できる。
【００９１】
また、本発明の電話端末においては、リングバックトーン音源コンテンツを外部システムからアップロードさせることができるようにする。
これにより、電話利用者は、電話利用者自身が電話を発信する際に聴取する好みのＲＢＴ音源コンテンツを外部システムからアップロードさせることができる。
【図面の簡単な説明】
【図１】システム構成モデルについて説明するための図である。
【図２】「システム構成モデル甲Ａ」のシステム構成例を示す図である。
【図３】「システム構成モデル甲Ａ」におけるマネーフローを示す図である。
【図４】「システム構成モデル乙Ａ」のシステム構成例を示す図である。
【図５】「システム構成モデル乙Ａ」におけるマネーフローを示す図その１である。
【図６】「システム構成モデル乙Ａ」におけるマネーフローを示す図その２である。
【図７】「システム構成モデル丙Ａ」のシステム構成例を示す図である。
【図８】「システム構成モデル丙Ａ」におけるマネーフローを示す図その１である。
【図９】「システム構成モデル丙Ａ」におけるマネーフローを示す図その２である。
【図１０】「システム構成モデル甲Ｂ」のシステム構成例を示す図である。
【図１１】「システム構成モデル乙Ｂ」のシステム構成例を示す図である。
【図１２】「システム構成モデル乙Ｂ」におけるマネーフローを示す図その１である。
【図１３】「システム構成モデル乙Ｂ」におけるマネーフローを示す図その２である。
【図１４】「システム構成モデル丙Ｂ」のシステム構成例を示す図である。
【図１５】「システム構成モデル丙Ｂ」におけるマネーフローを示す図その１である。
【図１６】「システム構成モデル丙Ｂ」におけるマネーフローを示す図その１である。
【図１７】「システム構成モデル甲Ａ２（ＮＮＩ接続）」のシステム構成例を示す図である。
【図１８】「システム構成モデル甲Ａ２（ＵＮＩ接続）」のシステム構成例を示す図である。
【図１９】「システム構成モデル乙Ａ２」のシステム構成例を示す図である。
【図２０】「システム構成モデル丙Ａ２」のシステム構成例を示す図である。
【図２１】リングバックトーンについて説明するための図である。
【符号の説明】
１００　電話利用者
１１０　ＲＢＴ可変式電話端末
１１１　受話部
１１２　接続制御部
１１３　発信部
１１４　送話部
１１５　音源記憶部
１１６　読込制御部
１１７　認証装置
２００　通信事業者
２０１　通信事業者Ｂ
２０２　通信事業者Ａ
２１０、２１０ａ　電話網
２１１、２１１ａ　発側交換機
２１２、２１２ａ　着側交換機
２１３　固定ＲＢＴ音源装置
２２０　ＲＢＴ音源送出システム
２２１　ＲＢＴ音源送出システム制御装置
２２２　ＲＢＴ音源送出装置
２２３　認証装置
２２４　ＲＢＴ音源書換装置
２２５　ＲＢＴ音源記憶装置
２５１　ＶｏＩＰ網
２５２　交換機（またはルータ）
２５３　交換機（またはルータ）
３００　着側ユーザ
４００　コンテンツ事業者
４１０　ＲＢＴ音源選択システム
４１１　コンテンツ送信装置
４１２　コンテンツ選択装置
４１３　コンテンツ蓄積装置
５００　広告依頼主
６００　広告代理事業者
６１０　ＲＢＴ広告配信システム
６１１　広告配信システム制御装置
６１２　コンテンツ送信装置
６１３　広告コンテンツ蓄積装置
【図１】
2004088452.tif 000003
【図２】
2004088452.tif 000004
【図３】
2004088452.tif 000005
【図４】
2004088452.tif 000006
【図５】
2004088452.tif 000007
【図６】
2004088452.tif 000008
【図７】
2004088452.tif 000009
【図８】
2004088452.tif 000010
【図９】
2004088452.tif 000011
【図１０】
2004088452.tif 000012
【図１１】
2004088452.tif 000013
【図１２】
2004088452.tif 000014
【図１３】
2004088452.tif 000015
【図１４】
2004088452.tif 000016
【図１５】
2004088452.tif 000017
【図１６】
2004088452.tif 000018
【図１７】
2004088452.tif 000019
【図１８】
2004088452.tif 000020
【図１９】
2004088452.tif 000021
【図２０】
2004088452.tif 000022
【図２１】
2004088452.tif 000023